(57)【特許請求の範囲】
【請求項１】
ナースコール親機，患者別廊下灯における回転式救護区分表示装置であって、
取り付けフレーム（２）の表面側に、ネームプレート（７）を着脱自在に取り付け可能なネームプレート取り付け部（３）を設け、
同取り付けフレーム（２）における前記ネームプレート取り付け部（３）の近傍に、「担送」，「護送」，「独歩」等の救護区分を異なる色で表示するための表示窓（１１）を設け、
同取り付けフレーム（２）の裏面側における前記表示窓（１１）に対応する位置に、表示駒取り付け部（１２）を設け、
この表示駒取り付け部（１２）に、駒本体（４２）の外周に前記救護区分に対応させて互いに異なる色を施した一つの表示駒（４１）を前記表示窓（１１）の表面側から回転操作可能に、かつ選択した救護区分の色部分を表示位置保持手段（２８）を介して前記表示窓（１１）の位置に保持可能に取り付け、
前記表示駒（４１）を、駒本体（４２）の外周に、前記救護区分に対応させて異なる色を施したカラーチップ（４３），（４４），（４５），…を互いに嵌め合わせて構成したことを特徴とする回転式救護区分表示装置。
【請求項２】
前記表示駒（４１）を、外周をほぼ正多角形に形成し、各辺の平面である表示面（４６）に、前記救護区分に対応させて異なる色を施し、かつ前記表示窓（１１）に、正多角形の前記各辺の表示面（４６）を配置可能に構成したことを特徴とする請求項１記載の回転式救護区分表示装置。
【請求項３】
前記表示駒（４１）にスイッチ操作用のカム（５２）を設け、このカム（５２）の周りに、前記救護区分に対応させてセンサスイッチを配置し、前記カム（５２）により、表示窓（１１）に現在表示されている救護区分に対応するセンサスイッチをＯＮ操作し、当該センサスイッチから電気信号を発信するように構成したことを特徴とする請求項１記載の回転式救護区分表示装置。
【発明の詳細な説明】
【０００１】
【発明の属する技術分野】
本発明は、主に病棟で使用するナースコール親機および患者別廊下灯において、患者の避難誘導・搬送体制度等の区分を表示する回転式救護区分表示装置に関する。
【０００２】
【従来の技術】
病院建築設備法規要覧に記載されているように、主に病棟で使用するナースコール親機および患者別廊下灯において、災害時の患者の救護方法区分、すなわち「担送」，「護送」，「独歩」を表示することが規定されている。
【０００３】
ここで、「担送」とは担架がなければ救護出来ない患者、「護送」とは付添があれば救護出来る患者、「独歩」とは一人で歩ける患者、と定義されている。
【０００４】
ところで、この種ナースコール親機および患者別廊下灯において、患者の重症度の区分を表示する従来技術として、図８および図９に示す技術と、図１０〜図１３に示す技術とがある。
【０００５】
その図８および図９は、スライド方式の従来技術を示すもので、図８は主要部の斜視図、図９はスライド表示板の正面図である。
【０００６】
これら図８および図９に示すスライド方式の従来技術では、フレーム６１の一半部に患者の氏名表示部６２が設けられ、同フレーム６１のほぼ中央部には救護区分、すなわち色分けされた部分を表示する窓孔６５が形成され、これの側方に看護情報表示部７３が設けられている。
【０００７】
前記氏名表示部６２には、溝底板６４が配置されている。この溝底板６４には、窓孔６３が設けられている。そして、前記溝底板６４からフレーム６１に形成された窓孔６５にわたって、スライド表示板６６が摺動可能に設置されている。
【０００８】
前記スライド表示板６６は、救護区分に対応して例えば赤色に着色された表示部６７と、例えば黄色に着色された表示部６８と、例えば緑色に着色された表示部６９とに色分けされている。また、このスライド表示板６６には、スライド操作用の操作部７０が設けられている。
【０００９】
前記氏名表示部６２には、スライド表示板６６の上に、ネームプレート７１またはネームカード７２が取り外し可能に収容されている。これらネームプレート７１またはネームカード７２の表面には、患者名やベッド番号等が表示され、裏面には例えば好ましくはマグネットシートが貼り付けられている。
【００１０】
前記看護情報表示部７３には、プレート７４またはカード７５が取り外し可能に収容されている。これらプレート７４やカード７５の表面には、患者に応じた看護情報が表示されており、裏面には例えば好ましくはマグネットシートが貼り付けられている。
【００１１】
また、前記窓孔６５に色分けして表示された救護区分に対応して電気信号を発信する電気信号発信手段を備えている。この電気信号発信手段は、スライド表示板６６のスライド位置に応じてマイクロスイッチの接点を切り替え操作し、電気信号を発信するようになっている。
【００１２】
この従来技術では、他には患者側の呼び出しを表示する呼出表示ランプ７６と、応答操作スイッチ７７等を有している。
【００１３】
そして、このスライド方式の従来技術では、窓孔６５に現在表示されている救護区分を他の区分に変更するときは、氏名表示部６２に収容されているネームプレート７１またはネームカード７２をいったん取り外し、氏名表示部６２の溝底板６４に設けられた窓孔６３より突出されている操作部７０を操作し、スライド表示板６６をスライドさせて行う。ついで、氏名表示部６２に再びネームプレート７１またはネームカード７２を挿入し、収容するようにしている。
【００１４】
次に、図１０〜図１３はカラーマグネット方式の従来技術を示すもので、図１０は救護情報表示板の正面図、図１１は図１０の一部分を破断して示した背面図、図１２および図１３はそれぞれこの従来技術で用いているカラープレートの裏面図である。
【００１５】
これら図１０〜図１３に示すカラーマグネット方式の従来技術では、本体フレーム８１の一半部に氏名表示部８２が設けられ、同本体フレーム８１のほぼ中央部には救護区分情報表示部８７が設けられ、同本体フレーム８１の他半部側には看護情報表示部９７が形成されている。
【００１６】
前記氏名表示部８２には、幅を広く形成した開口部８３から、まぶち型の部材８４，８４を有するカード収容溝８５内に、ネームカード８６を差し込んで取り付けるようになっている。このネームカード８６には、患者の氏名やベッド番号等を表示するようにしている。
【００１７】
前記救護区分情報表示部８７は、本体フレーム８１のほぼ中央部に、正方形に形成された救護区分表示用窓８８と、鉄板で形成された底板８９と、この底板８９に前記救護区分表示用窓８８と同心上に形成された磁気検知用穴９０と、前記底板８９の下方に設けられた磁気検知素子用の収容箱９１とを有している。
【００１８】
前記救護区分表示用窓８８には、カラープレート９２が収納されている。このカラープレート９２は、前記救護区分表示用窓８８内にフィットするように正方形に形成されている。また、このカラープレート９２には、表面に救護区分に対応させて例えば赤色、黄色や緑色に着色された救護区分情報９３が表示されている。したがって、救護区分を互いに異なる３色で表示する場合、カラープレート９２として当該色を施したものを３枚用意する。さらに、カラープレート９２の裏面には、マグネットシールが貼り付けられている。このマグネットシールは、救護区分に対応させて、例えば赤色に着色したカラープレートに対しては全面に磁性体を施したマグネットシール９４を、例えば黄色に着色したカラープレートに対しては中央部分に磁性体を施していないマグネットシール９５を貼り付けるというように、形態を異にしている。そして、カラープレート９２は形態の異なるマグネットシールを介して、救護区分表示用窓８８における鉄板製の底板８９に、着脱自在に取り付けられている。
【００１９】
前記収容箱９１には、磁気検知素子９６が設けられている。この磁気検知素子９６には、ホール素子やリードスイッチが用いられている。そして、この磁気検知素子９６は救護区分表示用窓８８に取り付けられたカラープレート９２のマグネットシールの形態を検知し、救護区分に対応した電気信号を発信するようになっている。
【００２０】
前記看護情報表示部９７には、幅を広く形成した開口部９８から、まぶち型の部材９９，９９を有するカード収容溝１００内に、看護情報カード１０１を差し込み、取り付けるようにしている。この看護情報カード１０１には、例えば「点滴中」などの看護情報を表示する。
【００２１】
このカラーマグネット方式の従来技術においても、他には呼出表示ランプ１０２と、応答操作スイッチ１０３等を有している。
【００２２】
しかして、このカラーマグネット方式の従来技術では、救護区分の変更に備えて、救護区分情報９３を異なる色、例えば赤色，黄色，緑色で表示し、救護区分に応じて異なる形態のマグネットシールを貼り付けたカラープレート９２を用意する。
【００２３】
そして、救護区分に対応して例えば前述の赤色，黄色または緑色のカラープレート９２を選択し、当該カラープレート９２を救護区分情報表示部８７における救護区分表示用窓８８の鉄板製の底板８９に、マグネットシールを介して取り付け、前記救護区分表示用窓８８を通じて、カラープレート９２に表示された救護区分情報９３が見えるようにセットする。
【００２４】
【発明が解決しようとする課題】
しかしながら、前記スライド方式の従来技術では、窓孔６３に現在表示されている救護区分を他の区分に変更する場合に、氏名表示部６２に収容されているネームプレート７１またはネームカード７２を取り外した後、操作部７０を操作し、スライド表示板６６をスライドさせて行う必要があり、救護区分の変更に際して操作が煩雑で、手数と時間が掛かるという課題があった。
【００２５】
また、同スライド方式の従来技術では、救護区分に応じた電気信号を発信する電気信号発信手段が、スライド表示板６６のスライド位置に応じてマイクロスイッチの接点を切り替え操作するように構成されているが、構造が複雑となり、厚さが厚くなるという課題もあった。
【００２６】
さらに、スライド方式の従来技術では、その構造上、表示面が表面からへこんでしまい、斜めから見た際の視認性が悪いという課題もあった。
【００２７】
他方、カラーマグネット方式の従来技術では、救護区分表示用窓８８の底板８９を鉄板製とし、カラープレート９２の裏面にマグネットシールを貼り付け、このマグネットシールを介して救護区分表示用窓８８の底板８９にカラープレート９２を貼り付けるようにしているため、カラープレート９２が脱落しやすいという課題があり、救護区分表示用窓８８の斜めからはカラープレート９２の救護区分情報９３が見えにくいという課題があった。
【００２８】
本発明は、上記の事情に鑑みなされたもので、その目的とするところは、救護区分に対応した色に変更するに際して、操作性が良く、かつ斜めからの視認性を向上でき、しかもコンパクトにまとめ得る回転式救護区分表示装置を提供することにある。
【００２９】
また、本発明の他の目的は、救護区分の表示面をスマートに、かつより見やすくまとめ得る回転式救護区分表示装置を提供することにある。
【００３０】
さらに、本発明の他の目的は、救護区分に対応した色に、オーダーによって差し替え得る回転式救護区分表示装置を提供することにある。
【００３１】
そして、本発明の他の目的は、救護区分に対応して電気信号を発信する手段を、簡潔に形成し得る回転式救護区分表示装置を提供することにある。
【００３２】
【課題を解決するための手段】
前記目的を達成するため、本発明ではナースコール親機，患者別廊下灯における回転式救護区分表示装置であって、取り付けフレーム２の表面側に、ネームプレート７を着脱自在に取り付け可能なネームプレート取り付け部３を設け、同取り付けフレーム２における前記ネームプレート取り付け部３の近傍に、「担送」，「護送」，「独歩」等の救護区分を異なる色で表示するための表示窓１１を設け、同取り付けフレーム２の裏面側における前記表示窓１１に対応する位置に、表示駒取り付け部１２を設け、この表示駒取り付け部１２に、駒本体４２の外周に前記救護区分に対応させて互いに異なる色を施した一つの表示駒４１を前記表示窓１１の表面側から回転操作可能に、かつ選択した救護区分の色部分を表示位置保持手段２８を介して前記表示窓１１の位置に保持可能に取り付け、前記表示駒４１を、駒本体４２の外周に、前記救護区分に対応させて異なる色を施したカラーチップ４３，４４，４５，…を互いに嵌め合わせて構成したことを特徴とする。
【００３３】
また、前記目的を達成するため、本発明では前記表示駒４１を、外周をほぼ正多角形に形成し、各辺の平面である表示面４６に、前記救護区分に対応させて異なる色を施し、かつ前記表示窓１１に、正多角形の前記各辺の表示面４６を配置可能に構成している。
【００３４】
さらに、前記目的を達成するため、本発明では前記表示駒４１にスイッチ操作用のカム５２を設け、このカム５２の周りに、前記救護区分に対応させてセンサスイッチを配置し、前記カム５２により、表示窓１１に現在表示されている救護区分に対応するセンサスイッチをＯＮ操作し、当該センサスイッチから電気信号を発信するように構成したことを特徴とする。
【００３５】
【発明の実施の形態】
以下、本発明の実施例を図面に基づいて説明する。
【００３６】
図１〜図４は本発明の一実施例を示すもので、図１はこの実施例における分解斜視図、図２は同実施例における使用状態の正面図、図３は図２のＡ−Ａ線断面図、図４は表示駒の分解斜視図である。
【００３７】
これら図１〜図４に示す実施例における回転式救護区分表示装置１は、救護区分表示部材の取り付けフレーム２を備えている。
【００３８】
前記取り付けフレーム２には、ネームプレート取り付け部３と、表示窓１１と、表示駒取り付け部１２と、表示駒取り付け部１２の第２の部材２０のガイド兼位置決め用突起３４および取り付け用柱３６と、救護区分表示装置１全体を他の機器に取り付けるためのドッグ５４，５４等が設けられている。
【００３９】
前記ネームプレート取り付け部３は、ネームプレート７を、勾配を持った差し込み口４から、まぶち型の部材５，５に形成された差し込み溝６，６に差し込み、ネームプレート７を正面側から目視可能に取り付け得るように構成されている。また、このネームプレート取り付け部３には、ネームプレート７を着脱自在に取り付け得るようにしている。
【００４０】
前記ネームプレート７には、患者の氏名８と、ベッド番号９や担当の医師名１０等を表示するようになっている。
【００４１】
前記表示窓１１は、取り付けフレーム２におけるネームプレート取り付け部３の一側部に、縦長の長方形に形成されている。この表示窓１１には、表示駒４１に救護区分に対応して施された色のうちから、選択した色の表示面４６を表示するようにしている。
【００４２】
前記表示駒取り付け部１２は、第１の部材１３と、第２の部材２０とを組み合わせて構成されている。
【００４３】
前記表示駒取り付け部１２の第１の部材１３は、側壁１４と、前壁１５と、後壁１６とを有する横断面ほぼ逆コ字型に形成されており、取り付けフレーム２と一体に成型されている。この第１の部材１３の側壁１４には、回転式救護区分表示装置１を他の機器に取り付けるための取り付け部１７と、表示駒４１の回転支持軸用の軸受１８とが設けられている。また、第１の部材１３の前壁１５と後壁１６には、それぞれ第２の部材２０をスナップ結合するための係止部１９が設けられている。
【００４４】
前記表示駒取り付け部１２の第２の部材２０は、上壁２１と、側壁２２と、前壁２３と、後壁２４と、取り付け板２５とが一体をなすハウジング型に形成されている。この第２の部材２０の側壁２２には、表示駒用の回転支持軸２６と、表示駒用の表示位置保持手段２８のスリーブ２９とが設けられている。同第２の部材２０の前壁２３と後壁２４の内側には、第１の部材１３の前壁１５と後壁１６に設けられた係止部１９にスナップ結合させるためのドッグ２７が設けられている。同第２の部材２０の取り付け板２５には、取り付けフレーム２に設けられたガイド兼位置決め用突起３４に係合するガイド兼位置決め用溝３５が形成されている。同第２の部材２０の側壁２２と取り付け板２５間には、取り付けフレーム２に設けられた取り付け用柱３６に載置される取り付け用台座３８が設けられている。
【００４５】
そして、前記取り付け用柱３６にはねじ穴３７が形成され、前記取り付け用台座３８にはねじ挿通穴３９が形成されていて、このねじ挿通穴３９に止めねじ４０のおねじ部を通し、そのおねじ部をねじ穴３７にねじ込むことによって、取り付けフレーム２に表示駒取り付け部１２の第２の部材２０を取り付けるようにしている。
【００４６】
前記表示駒用の表示位置保持手段２８は、表示駒取り付け部１２の前記第２の部材２０に設けられたスリーブ２９と、このスリーブ２９における第１の部材１３側に組み込まれた先端のボール部分３０と、同スリーブ２９内に組み込まれたボール部分３０を突出方向に付勢するコイルスプリング３１と、円柱状の本体が同スリーブ２９内に組み込まれ、かつコイルスプリング３１が脱出しないように押さえる他端部のスリ割りを有する押さえ部分３２とを有している。そして、表示駒４１の駒本体４２に複数個形成された後述の表示位置保持用の当該窪み５３に、前記表示位置保持手段２８のボール部分３０を没入させることにより、表示駒４１を選択した表示位置に保持するようにしている。
【００４７】
前記表示駒４１は、円形に形成された駒本体４２と、救護区分に対応させて互いに異なる色を施したカラーチップ４３，４４，４５と、ボス５０と、スイッチ操作用のカム５２と、表示駒４１の表示位置保持用の窪み５３とを有している。
【００４８】
前記カラーチップ４３，４４，４５は、駒本体４２の外周に取り付けられた状態で、互いにほぼ正三角形を構成する形状に形成されており、救護区分の表示面４６はほぼ正三角形を構成している各辺の平面とされている。この救護区分の表示面４６の両端部には、回転操作をしやすくするための凹凸４７が刻設されている。これらカラーチップ４３，４４，４５のうちの、カラーチップ４３には救護区分の「担送」に対応する例えば赤色が施され、他のカラーチップ４４には救護区分の「護送」に対応する例えば黄色が施され、さらに他のカラーチップ４５には救護区分の「独歩」に対応する例えば白色が施されている。また、この実施例では駒本体４２を例えば白色に形成し、これと同色のカラーチップ４５を駒本体４２と一体に成型している。各カラーチップ４３，４４，４５の端部には、嵌め合わせ用突起４８と嵌め合わせ用穴４９とが設けられていて、オーダーに応じて別の色の救護区分のカラーチップに取り替え得るようにしている。
【００４９】
前記ボス５０は、駒本体４２における表示駒取り付け部１２の第１の部材１３側の端部において、駒本体４２の回転中心部に、駒本体４２と一体に設けられている。このボス５０には、回転支持軸２６の軸挿通穴５１が形成されている。
【００５０】
前記カム５２は、ほぼ扇型に形成され、かつボス５０の外周の一部に、このボス５０と一体に設けられている。このカム５２は、駒本体４２と一体に回転し、カム５２の回転軌跡上に設置されたセンサスイッチ（図示せず）のうちの、表示窓１１に現在表示されている救護区分表示に対応するセンサスイッチをＯＮ操作するようになっている。
【００５１】
前記駒本体４２におけるボス５０やカム５２が設けられている面とは反対側の面に、表示位置保持用の窪み５３が形成されている。この窪み５３は、表示駒取り付け部１２の第２の部材２０に設けられている回転支持軸２６の中心から、表示駒の表示位置保持手段２８のボール部分３０の中心までの距離を半径とする円周上の位置で、かつ表示駒４１の各カラーチップ４３，４４，４５の表示面４６が取り付けフレーム２の表面とほぼ平行になる位置で表示駒４１を停止させ得るように、前記円周上に複数形成されている。
【００５２】
前述の各部材を回転式救護区分表示装置１として使用可能な状態に組み立てるには、次のようにする。
【００５３】
まず、表示駒取り付け部１２の第２の部材２０には、表示駒の表示位置保持手段２８を構成しているスリーブ２９に、ボール部分３０とコイルスプリング３１と押さえ部分３２とを有する部材が既に組み込まれているものとする。
【００５４】
そこで、駒本体４２の外周に、ユーザーのオーダーに従い、「担送」の色を施したカラーチップ４３と、「護送」の色を施したカラーチップ４４とを組み付ける。この実施例では、駒本体４２に「独歩」の色を施したカラーチップ４５を一体に成型しているため、このカラーチップ４５の円周方向の一方の側にカラーチップ４３を、他方の側にカラーチップ４４を結合し、かつ両カラーチップ４３，４４同士を結合する。これらカラーチップ４３，４４，４５の結合は、各カラーチップに設けられている嵌め合わせ用突起４８と、嵌め合わせ用溝４９とを互いに嵌め合わせて行う。
【００５５】
前述のごとく組み立てた表示駒４１を、表示駒取り付け部１２の第２の部材２０に組み付ける。このとき、第２の部材２０に組み付けられている表示駒の表示位置保持手段２８側に、表示駒４１の駒本体４２に形成されている表示位置保持用の窪み５３を向け、第２の部材２０に一体に設けられている回転支持軸２６に、表示駒４１の駒本体４２に形成されている軸挿通穴５１を位置合わせして嵌める。
【００５６】
そして、表示駒４１を組み付けた第２の部材２０における取り付け板２５に設けられている取り付け用台座３８を、取り付けフレーム２の裏面に設けられている取り付け用柱３６上に載置し、さらに第２の部材２０に形成されているガイド兼位置決め用溝３５を、取り付けフレーム２の裏面に設けられているガイド兼位置決め用突起３４に位置合わせし、このガイド兼位置決め用突起３４とガイド兼位置決め用溝３５とをガイドとして、取り付けフレーム２に一体に設けられた表示駒取り付け部１２の第１の部材１３に対して、表示駒４１を組み付けている第２の部材２０を押し込むと、第１の部材１３に設けられている軸受１８に、第２の部材２０に設けられている回転支持軸２６が差し込まれると同時に、第１の部材１３の前壁１５と後壁１６に設けられている係止部１９，１９に、第２の部材２０の前壁２３と後壁２４に設けられているドッグ２７，２７が弾発的に入り込み、前記係止部１９，１９とドッグ２７，２７とのスナップ結合を介して、表示駒取り付け部１２の第１の部材１３に第２の部材２０が結合される。
【００５７】
前述のごとく表示駒取り付け部１２の第１の部材１３に第２の部材２０をスナップ結合させた後、第２の部材２０に設けられた取り付け用台座３８に形成されているねじ挿通穴３９に止めねじ４０を挿通し、この止めねじ４０を取り付けフレーム２に設けられた取り付け用柱３６に形成されているねじ穴３７にねじ込み、取り付けフレーム２に表示駒取り付け部１２の第２の部材２０を固定し、回転式救護区分表示装置１として使用可能な状態に組み立てる。
【００５８】
なお、表示駒取り付け部１２に表示駒４１を組み付けるに当たって、第１の部材１３に設けられている軸受１８に、表示駒４１の駒本体４２に形成されている軸挿通穴５１を位置合わせして表示駒４１を配置し、この表示駒４１の前記軸挿通穴５１に、第２の部材２０に設けられている回転支持軸２６を、取り付けフレーム２に設けられている取り付け用柱３６に、第２の部材２０に設けられている取り付け用台座３８を、また取り付けフレーム２に設けられているガイド兼位置決め用突起３４に、第２の部材２０に形成されているガイド兼位置決め用溝３５をそれぞれ位置合わせし、第２の部材２０を押し込む。これにより、前記駒本体４２の軸挿通穴５１を通じて、第１の部材１３に設けられている軸受１８に、第２の部材２０に設けられている回転支持軸２６を挿入し、支持する。そして、表示駒４１を収容した状態で、第１の部材１３に第２の部材２０を組み付けた後、前述したところと同様、取り付けフレーム２に設けられている取り付け用柱３６に、第２の部材２０に設けられている取り付け用台座３８を止めねじ４０で固定し、取り付けフレーム２に第２の部材２０を固定するようにしてもよい。
【００５９】
次に、図５，図６および図７はそれぞれ本発明にかかる回転式救護区分表示装置の使用状態を示す説明図である。
【００６０】
その図５は、ボード型親機１０５に対して、この実施例における回転式救護区分表示装置１を取り付けて使用している。
【００６１】
また、図６は卓上型親機１０６に対して、この実施例における回転式救護区分表示装置１を取り付けて使用している。
【００６２】
さらに、図７は患者別廊下灯１０７に対して、この実施例における回転式救護区分表示装置１を取り付けて使用している。
【００６３】
これら図５，図６および図７に示すいずれの使用状態においても、各回転式救護区分表示装置１の取り付けフレーム２に設けられたネームプレート取り付け部３に、患者の氏名８やベッド番号９、担当の医師名１０等を記載したネームプレート７を差し込み口４から差し込んで表示する。
【００６４】
そして、回転式救護区分表示装置１の取り付けフレーム２に形成された表示窓１１に現在表示されている表示駒４１の表示面４６の色が、当該患者の救護区分に合致しないときは、前記表示面４６に手の指を軽く押し付けて、表示窓１１に当該患者の救護区分に合致する色の表示面４６が現れるまで表示駒４１を回転させる。
【００６５】
前記表示窓１１に当該患者に合致する救護区分の色が現れたとき、表示駒４１の駒本体４２に形成されている当該位置の窪み５３に、表示位置保持手段２８のボール部分３０が弾力的に入り込む。ここで手の指を放すと、表示窓１１に当該患者に合致した救護区分の色部分が表示された位置で表示駒４１が停止し、その状態に保持される。
【００６６】
したがって、本発明のこの実施例によれば、取り付けフレーム２に設けられた表示窓１１に、駒本体４２の外周に「担送」を例えば赤色、「護送」を例えば黄色、「独歩」を例えば白色で表示した救護区分の色部分を表示位置保持手段２８を介して確実に保持できるし、クリック感を出してワンタッチで操作することができる。
【００６７】
また、この実施例では表示駒４１の外周をほぼ正三角形に形成し、各辺の平面である表示面４６に、救護区分に対応させた色を施し、かつ表示窓１１に前記各辺の表示面４６を配置可能に構成し、表示面４６が表示窓１１の表面からへこんだ状態にならないように表示駒４１をセットしているので、表示面４６を斜めの方向からでも視認できるし、カラープレート方式の従来技術のごとく、カラープレートが脱落してしまうようなトラブルを未然に解消することができる。
【００６８】
前述のごとく、表示窓１１に当該患者の救護区分に対応した色部分を表示すべく表示駒４１を回転させたとき、この表示駒４１に設けられているカム５２も一緒に移動する。そして、このカム５２はこれの回転軌跡上に設置されているセンサスイッチのうちの、表示窓１１に現在表示されている救護区分に対応するセンサスイッチをＯＮ操作する。当該センサスイッチがＯＮ作動したとき、制御装置に電気信号を送り、その電気信号に基づく救護区分情報をコンピュータ管理し、火災などの非常時に動けない患者、つまり「担送」、「護送」の救護区分に該当する患者がいる部屋の廊下灯を自動点灯させることによって、救護活動を迅速に行うことができる。
【００６９】
以上のように、この実施例によれば、表示駒４１にスイッチ操作用のカム５２を設け、このカム５２の周りに救護区分に対応させてセンサスイッチを設置し、前記カム５２により、表示窓１１に現在表示されている救護区分に対応するセンサスイッチをＯＮ操作するようにしているので、救護区分に対応して電気信号を発信する手段の部分を、簡潔にまとめることができる。
【００７０】
また、例えばユーザーからのオーダーに対応させて救護区分の色を変更するときは、当該色に着色しかつ嵌め合わせ用突起４８と嵌め合わせ用溝４９とを設けたカラーチップを成型して置き、そのカラーチップを駒本体４２の外周に互いに嵌め合わせ、駒本体４２とカラーチップを一体に結合して行う。これにより、カラーチップを差し替えるだけで、救護区分に対応する色分けを、ユーザーのオーダー等に合わせて簡単に行うことができる。
【００７１】
なお、本発明では表示駒４１を図面に示すほぼ正三角形に形成するものに限らず、必要により例えばほぼ正四角形に形成してもよい。
【００７２】
【発明の効果】
以上説明したように、ナースコール親機，患者別廊下灯における回転式救護区分表示装置にかかる本発明では取り付けフレーム２の表面側に、ネームプレート取り付け部３と、救護区分の表示窓１１とを設け、取り付けフレーム２の裏面側に表示駒取り付け部１２を設け、この表示駒取り付け部１２に、救護区分に対応させて互いに異なる色を施した一つの表示駒４１を前記表示窓１１の表面側から回転可能に、かつ選択した救護区分の色部分を前記表示窓１１の位置に保持可能に取り付けており、表示窓１１から表示する色を、救護区分に対応した色に変更するに際して、表示駒４１を表示窓１１の表面側から手の指で軽く押して回転操作するだけのワンタッチ操作で行うことができる効果があり、表示窓１１から表示駒４１の表示面４６がへこんだ状態にならないようにセットできるので、表示面４６を斜め方向からでも見えるようにできる効果があり、取り付けフレーム２にネームプレート取り付け部３と、表示窓１１と、表示駒取り付け部１２と、表示位置保持手段２８を有する表示駒４１とを設けるだけで構成できるので、装置全体をコンパクトにまとめ得る効果があり、従来技術と同様の大きさに形成したときは、表示内容を見やすくなし効果がある。
また、表示駒４１を、駒本体４２の外周に、救護区分に対応させて異なる色を施したカラーチップ４３，４４，４５，…を互いに嵌め合わせて構成しているので、ユーザーからのオーダー等に合わせて、当該色を施したカラーチップと差し替えるだけで、簡単に対応できる効果がある。
【００７３】
また、本発明では表示駒４１を、外周をほぼ正三角形等のほぼ正多角形に形成し、各辺の平面である表示面４６に、救護区分に対応させて異なる色を施し、かつ表示窓１１に、正多角形の各辺の表示面４６を配置可能に構成しているので、救護区分の表示面４６を、スマートにかつより見やすくまとめ得る効果がある。
【００７４】
そして、本発明では表示駒４１にスイッチ操作用のカム５２を設け、このカム５２の周りに、救護区分に対応させてセンサスイッチを設置し、前記カム５２により、表示窓１１に現在表示されている救護区分に対応するセンサスイッチをＯＮ操作し、当該センサスイッチから電気信号を発信するように構成しているので、救護区分に対応して電気信号を発信する手段を、簡潔にまとめ得る効果がある。
【図面の簡単な説明】
【図１】本発明の一実施例における分解斜視図である。
【図２】同実施例における使用状態の正面図である。
【図３】図２のＡ−Ａ線断面図である。
【図４】本発明のこの実施例における表示駒の分解斜視図である。
【図５】ボード型親機に対して、本発明におけるこの実施例を取り付けて使用している状態の説明図である。
【図６】卓上型親機に対して、本発明におけるこの実施例を取り付けて使用している状態の説明図である。
【図７】患者別廊下灯に対して、本発明におけるこの実施例を取り付けて使用している状態の説明図である。
【図８】スライド方式の従来技術を示す斜視図である。
【図９】図８に示す従来技術におけるスライド表示板の正面図である。
【図１０】カラーマグネット方式の従来技術を示すもので、救護情報表示板の正面図である。
【図１１】図１０に示す従来技術の一部破断背面図である。
【図１２】図１０に示す従来技術で用いているカラープレートの裏面図である。
【図１３】図１０に示す従来技術で用いている他のカラープレートの裏面図である。
【符号の説明】
１    回転式救護区分表示装置
２    取り付けフレーム
３    ネームプレート取り付け部
７    ネームプレート
１１  救護区分の表示窓
１２  表示駒取り付け部
１８  回転支持軸の軸受
２６  回転支持軸
２８  表示駒の表示位置保持手段
４１  表示駒
４２  駒本体
４３，４４，４５  カラーピース
４８  カラーピースの嵌め合わせ用突起
４９  カラーピースの嵌め合わせ用溝
５２  センサスイッチＯＮ操作用のカム
【図１】
0003587298.tif 000002
【図２】
0003587298.tif 000003
【図３】
0003587298.tif 000004
【図４】
0003587298.tif 000005
【図５】
0003587298.tif 000006
【図６】
0003587298.tif 000007
【図７】
0003587298.tif 000008
【図８】
0003587298.tif 000009
【図９】
0003587298.tif 000010
【図１０】
0003587298.tif 000011
【図１１】
0003587298.tif 000012
【図１２】
0003587298.tif 000013
【図１３】
0003587298.tif 000014